(57)【要約】【課題】画像データを容易に重複なく画像記録媒体に記録する。【解決手段】Ｓ１０５で抽出した画像ファイル名と、ファイル名データ管理メモリに既に記憶されているファイル名とを比較し（Ｓ１０７）、一致するファイル名があるか否かを判断する（Ｓ１０８）。一致するファイル名がなかった場合は、画像ファイルは全て未だどの記録メディア５にも記録されていない画像ファイルである。よって、この場合には、全ての画像データを記録メディアに記録させる（Ｓ１０９）。また、Ｓ１０８での判断の結果、一致するファイル名があった場合は、全ての画像ファイルのうち、一致するファイル名の画像ファイルは、既に何れかの記録メディア５に記録されている画像ファイルである。よって、この場合には、バッファメモリに一時記憶されている全ての画像ファイルのうち、一致したファイル名の画像ファイルを除く画像ファイルを記録メディアに記録させる（Ｓ１１１）。【選択図】　　　　図４
2004088555.tif 000002
【特許請求の範囲】
【請求項１】
当該画像データに固有の画像識別情報を含む画像データを取得する画像データ取得手段と、
画像記録媒体を脱着可能に装着する装着手段と、
前記画像識別情報を記憶する記憶手段と、
前記画像データ取得手段により取得された画像データの画像識別情報と前記記憶手段に記憶されている画像識別情報とを比較する比較手段と、
この比較手段による比較結果に応じて、前記画像データ取得手段により取得された画像データを前記画像記録媒体に記録するか否かを判断する判断手段と、
この判断手段により前記画像記録媒体に記録すると判断された画像データを前記画像記録媒体に記録する記録制御手段と、
この記録制御手段により前記画像記録媒体に記録された画像データの画像識別情報を前記記憶手段に記憶する記憶制御手段と、
を具備したことを特徴とする画像記録装置。
【請求項２】
前記判断手段は、前記画像識別情報が一致するか否かを判断し、
前記記録制御手段は、前記判断手段により前記画像識別情報が一致しないと判断された場合にのみ前記画像データを前記画像記録媒体に記録することを特徴とする請求項１記載の画像記録装置。
【請求項３】
前記記憶制御手段は、前記記録制御手段により前記画像記録媒体に記録された画像データの画像識別情報を前記記憶手段に更新記憶することを特徴とする請求項１記載の画像記録装置。
【請求項４】
前記記憶制御手段は、前記記録制御手段により前記画像記録媒体に記録された画像データが複数ある場合、対応する複数の画像識別情報のうちいずれか１つを前記記憶手段に記憶することを特徴とする請求項１記載の画像記録装置。
【請求項５】
第１のモードと第２のモードとを選択的に設定するモード設定手段と、
前記画像記録媒体に記録されている画像データの画像識別情報を取得する識別情報取得手段とを備え、
前記比較手段は、前記モード設定手段により前記第１のモードが設定されている場合には、前記画像データ取得手段により取得された画像データの画像識別情報と前記記憶手段に記憶されている画像識別情報とを比較し、前記第２のモードが設定されている場合には、前記画像データ取得手段により取得された画像データの画像識別情報と前記識別情報取得手段により取得された画像識別情報とを比較することを特徴とする請求項１記載の画像記録装置。
【請求項６】
前記画像識別情報は、画像ファイル名であることを特徴とする請求項１から５にいずれか記載の画像記録装置。
【請求項７】
当該画像データに固有の画像識別情報を含む画像データを取得する画像データ取得手段と、画像記録媒体を脱着可能に装着する装着手段と、前記画像識別情報を記憶する記憶手段とを備える画像記録装置が有するコンピュータを、
前記画像データ取得手段により取得された画像データの画像識別情報と前記記憶手段に記憶されている画像識別情報とを比較する比較手段と、
この比較手段による比較結果に応じて、前記画像データ取得手段により取得された画像データを前記画像記録媒体に記録するか否かを判断する判断手段と、
この判断手段により前記画像記録媒体に記録すると判断された画像データを前記画像記録媒体に記録する記録制御手段と、
この記録制御手段により前記画像記録媒体に記録された画像データの画像識別情報を前記記憶手段に記憶する記憶制御手段と、
して機能させることを特徴とする画像記録制御プログラム。
【請求項８】
当該画像データに固有の画像識別情報を含む画像データを取得する画像データ取得手段と、画像記録媒体を脱着可能に装着する装着手段と、前記画像識別情報を記憶する記憶手段とを備える画像記録装置における画像記録方法であって、
前記画像データ取得手段により取得された画像データの画像識別情報と前記記憶手段に記憶されている画像識別情報とを比較する比較工程と、
この比較工程による比較結果に応じて、前記画像データ取得手段により取得された画像データを前記画像記録媒体に記録するか否かを判断する判断工程と、
この判断工程にて前記画像記録媒体に記録すると判断された画像データを前記画像記録媒体に記録する記録制御工程と、
この記録制御工程にて前記画像記録媒体に記録された画像データの画像識別情報を前記記憶手段に記憶する記憶制御工程と、
を含むことを特徴とする画像記録方法。
【発明の詳細な説明】
【０００１】
【発明の属する技術分野】
【０００２】
本発明は、外部から供給される画像データを記録するための画像記録装置、画像記録制御プログラム及び画像記録方法に関する。
【０００３】
【従来の技術】
【０００４】
従来、例えばデジタルカメラにおいては、撮影した画像の画像データを内部メモリや、カメラ本体に着脱自在に装着されたメモリカードに順次記録して保存する。そして、記録された画像データの容量が内部メモリの容量を超えそうになった場合や記録されている画像データを整理する際には、デジタルカメラからパソコン等の外部機器に画像データを転送して、外部機器により画像データを記録メディアに記録させるようにしている。
また、記録した画像データの容量がメモリカードの容量を超えそうになった場合や記録されている画像データを整理する際には、メモリカードをカメラ本体から取り外し、所定のアダプタを介してパソコン等の外部機器に装着する。そして、外部機器により装着したメモリカードから画像データを読み取らせて、記録メディアに画像データを記録させるようにしている。
【０００５】
【発明が解決しようとする課題】
【０００６】
しかしながら、内部メモリに記録された画像データを記録メディアに記録する際、デジタルカメラは内部メモリに記録されている全ての画像データを転送し、一方、外部機器は転送されてきた全ての画像データを記録メディアに記録する。また、メモリカードに記録された画像データを記録メディアに記録する際、外部機器はメモリカードに記録されている全ての画像データを読み取って記録メディアに書き込む。よって、既に記録メディアに記録させた画像データが内部メモリやメモリカードに残存していた場合には、記録メディアに同一の画像データが重複して記録されてしまうこととなる。
【０００７】
無論、外部機器がパソコンである場合、メモリカードに記録されている画像データのファイル名と、既に記録メディアに記録されている画像データのファイル名とを画面上に表示させ、操作により重複しないファイル名の画像データのみを記録メディアに記録させることにより重複記録を防止することができる。しかし、このような操作を行うにはパソコン操作に関する充分な知識が必要となり、また操作が煩雑であって時間を要してしまう。
【０００８】
本発明は、このような従来の課題に鑑みてなされたものであり、画像データを容易に重複なく画像記録媒体に記録することのできる画像記録装置、画像記録制御プログラム及び画像記録方法を提供することを目的とするものである。
【０００９】
【課題を解決するための手段】
【００１０】
前記課題を解決するために請求項１の発明に係る画像記録装置にあっては、当該画像データに固有の画像識別情報を含む画像データを取得する画像データ取得手段と、画像記録媒体を脱着可能に装着する装着手段と、前記画像識別情報を記憶する記憶手段と、前記画像データ取得手段により取得された画像データの画像識別情報と前記記憶手段に記憶されている画像識別情報とを比較する比較手段と、この比較手段による比較結果に応じて、前記画像データ取得手段により取得された画像データを前記画像記録媒体に記録するか否かを判断する判断手段と、この判断手段により前記画像記録媒体に記録すると判断された画像データを前記画像記録媒体に記録する記録制御手段と、この記録制御手段により前記画像記録媒体に記録された画像データの画像識別情報を前記記憶手段に記憶する記憶制御手段とを具備している。
【００１１】
すなわち、記憶手段には画像記録媒体に記録された画像データの画像識別情報が順次記憶される。この記憶手段に記憶された識別情報と、取得手段により取得された画像データの画像識別情報とが比較され、この比較結果に応じて、取得された画像データを画像記録媒体に記録するか否かが判断される。そして、画像記録媒体に記録すると判断された画像データのみが画像記録媒体に記録される。このとき、既に画像記録媒体に記録されている画像データの画像識別情報は、記憶手段に記憶されていることから、取得された画像データが既に画像記録媒体に記録されているものである場合には、その画像データの画像記録媒体への重複記録が未然に防止される。
【００１２】
したがって、当該画像記録装置によって画像記録媒体に例えば画像データＡが記録された場合には、この画像記録装置に新たな他の画像記録媒体を装着して記録を行っても、画像データＡが新たな装着された他の画像記録媒体に記録されることはない。つまり、当該画像記録装置に画像データＡを記録させた履歴がある場合には、以降他の画像記録媒体を当該画像記録装置に装着しても、画像データＡが他の画像記録媒体に記録されない。よって、当該画像記録装置により画像記録媒体に記録れた記録済画像データが、以降当該画像記録媒体に装着される他の画像記録媒体に重複記録されることを、複数の画像記録媒体に渡って未然に防止することができる。
【００１３】
また、請求項２の発明に係る画像記録装置にあっては、前記判断手段は、前記画像識別情報が一致するか否かを判断し、前記記録制御手段は、前記判断手段により前記画像識別情報が一致しないと判断された場合にのみ前記画像データを前記画像記録媒体に記録する。したがって、画像記録媒体には、画像識別情報が不一致である画像データのみが記録されることとなり、画像記録媒体への画像データの重複記録が確実に防止される。よって、当該画像記録装置により画像記録媒体に記録れた記録済画像データが、以降当該画像記録媒体に装着される他の画像記録媒体に重複記録されることを、複数の画像記録媒体に渡って確実に防止することができる。
【００１４】
また、請求項３の発明に係る画像記録装置にあっては、前記記憶制御手段は、前記記録制御手段により前記画像記録媒体に記録された画像データの画像識別情報を前記記憶手段に更新記憶する。すなわち、画像データに含まれている画像識別情報が時刻情報やシリアルナンバー等の連続的な識別情報である場合には、全ての画像識別情報を記憶手段に記憶させる必要はなく、最後に画像記録媒体に記録した画像データの画像識別情報のみを記憶手段に記憶させておけば、画像記録媒体に記録されている画像データの画像識別情報を認識することは可能であり、重複記録を防止することも可能となる。
【００１５】
また、請求項４の発明に係る画像記録装置にあっては、前記記憶制御手段は、前記記録制御手段により前記画像記録媒体に記録された画像データが複数ある場合、対応する複数の画像識別情報のうちいずれか１つを前記記憶手段に記憶する。すなわち、前述と同様に、画像データに含まれている画像識別情報が時刻情報やシリアルナンバー等の連続的な識別情報である場合において、記録制御手段により画像記録媒体に記録された画像データが複数であった場合、全ての画像データの画像識別情報を記憶手段に記憶させる必要はなく、対応する複数の画像識別情報のうちいずれか１つ、例えば最後に画像記録媒体に記録した画像データの画像識別情報のみを記憶手段に記憶させておけば、画像記録媒体に記録されている画像データの画像識別情報を認識することは可能であり、重複記録を防止することも可能となる。
【００１６】
また、請求項５の発明に係る画像記録装置にあっては、第１のモードと第２のモードとを選択的に設定するモード設定手段と、前記画像記録媒体に記録されている画像データの画像識別情報を取得する識別情報取得手段とを備え、前記比較手段は、前記モード設定手段により前記第１のモードが設定されている場合には、前記画像データ取得手段により取得された画像データの画像識別情報と前記記憶手段に記憶されている画像識別情報とを比較し、前記第２のモードが設定されている場合には、前記画像データ取得手段により取得された画像データの画像識別情報と前記識別情報取得手段により取得された画像識別情報とを比較する。
【００１７】
すなわち、第１のモードが設定されていると、画像記録媒体に記録すべき画像データの画像識別情報と、当該画像記録装置の記憶手段に記憶されている画像識別情報とが比較される。よって、ある画像データを一旦当該画像記録装置により画像記録媒体に記録させると、以後、画像記録媒体を変えても複数の画像記録媒体を通して画像データの重複記録が防止される結果、当該記録装置を用いて当該画像データを他の画像記録媒体に記録させることはできない。したがって、この記録装置を用いて同じ画像データが記録された複数の画像記録媒体を作成することは不可能となる。
【００１８】
そこで、このように同じ画像データが記録された画像記録媒体を複数作成する場合には、第２のモードを設定する。すると、第２のモードが設定されている場合には、画像記録媒体に記録すべき画像データの画像識別情報と、現在装着されている画像記録媒体に記録されている画像データの画像識別情報とが比較されて、画像記録媒体への画像データの記録がなされる。したがって、異なる画像記録媒体を画像記録装置の装着手段に装着すれば、同一の画像記録装置を用いて同一の画像データを異なる画像記録媒体の各々に記録させることができ、これにより同じ画像データが記録された複数の画像記録媒体を作成することができる。しかも、画像記録媒体に記録すべき画像データの画像識別情報と、現在装着されている画像記録媒体に記録されている画像データの画像識別情報との比較がなされることから、個々の画像記録媒体への画像データの重複記録は未然に防止される。また、請求項６の発明に係る画像記録装置にあっては、前記画像識別情報は、画像ファイル名である。したがって、画像ファイル名を比較する簡単な処理により、画像記録媒体への画像データの重複記録が防止できる。
【００１９】
また、請求項７の発明に係る画像記録制御プログラムにあっては、当該画像データに固有の画像識別情報を含む画像データを取得する画像データ取得手段と、画像記録媒体を脱着可能に装着する装着手段と、前記画像識別情報を記憶する記憶手段とを備える画像記録装置が有するコンピュータを、前記画像データ取得手段により取得された画像データの画像識別情報と前記記憶手段に記憶されている画像識別情報とを比較する比較手段と、この比較手段による比較結果に応じて、前記画像データ取得手段により取得された画像データを前記画像記録媒体に記録するか否かを判断する判断手段と、この判断手段により前記画像記録媒体に記録すると判断された画像データを前記画像記録媒体に記録する記録制御手段と、この記録制御手段により前記画像記録媒体に記録された画像データの画像識別情報を前記記憶手段に記憶する記憶制御手段として機能させる。したがって、前記コンピュータがこのプログラムに従って処理を実行することにより、請求項１記載の発明と同様の作用効果を奏する。
【００２０】
また、請求項８の発明に係る画像記録方法にあっては、当該画像データに固有の画像識別情報を含む画像データを取得する画像データ取得手段と、画像記録媒体を脱着可能に装着する装着手段と、前記画像識別情報を記憶する記憶手段とを備える画像記録装置における画像記録方法であって、前記画像データ取得手段により取得された画像データの画像識別情報と前記記憶手段に記憶されている画像識別情報とを比較する比較工程と、この比較工程による比較結果に応じて、前記画像データ取得手段により取得された画像データを前記画像記録媒体に記録するか否かを判断する判断工程と、この判断工程にて前記画像記録媒体に記録すると判断された画像データを前記画像記録媒体に記録する記録制御工程と、この記録制御工程にて前記画像記録媒体に記録された画像データの画像識別情報を前記記憶手段に記憶する記憶制御工程とを含む。したがって、記載した工程に従って処理を実行することにより、請求項１記載の発明と同様の作用効果を奏する。
【００２１】
【発明の実施の形態】
【００２２】
以下、本発明の実施の形態を図に従って説明する。
（第１の実施の形態）
【００２３】
図１は、本実施の形態に係る画像記録装置を含むシステム全体の一例を示すシステム構成図である。このシステムは、専用レコーダー１（本実施の形態における画像記録装置）又はパソコン２と、デジタルカメラ３とで構成される。デジタルカメラ３は、撮影した画像に基づき、その画像データと画像ファイル名とからなる画像ファイルを作成し、この画像ファイルを着脱自在なメモリカード４に記録するものである。専用レコーダー１とパソコン２は、デジタルカメラ３から取り外されたメモリカード４が装着されると、該メモリカード４に記録された画像ファイルを読み取って画像記録媒体としての記録メディア５に記録し、また、メモリカード４が装着されたデジタルカメラ３とケーブル６（ＵＳ１０Ｂ、１３９４）を介して接続されると、ケーブル６を介してデジタルカメラ３から送信された画像ファイルを記録メディア５に記録し、また、メモリカード４が装着されたデジタルカメラ３から画像ファイルが無線送信されると、これを受信して記録メディア５に記録するものである。専用レコーダー１は装置本体１１を備え、この装置本体１１には記録メディア５を挿入するための挿入口１２が設けられている。
【００２４】
図２は、専用レコーダー１の回路構成を示すブロック図である。図示のように、専用レコーダー１はＣＰＵ１３を備えるとともに、このＣＰＵ１３にバスラインを介して接続された通信部１４、メモリカード装着部１５、記録メディア装着部１６、ファイル名データ管理メモリ１７、ＲＯＭ１８、ＲＡＭ１９、及びキー操作部２０を備えている。通信部１４は、デジタルカメラ３と無線通信又はケーブル６を介した有線通信を行って画像ファイルを取得するものである。メモリカード装着部１５は、デジタルカメラ３から取り外されたメモリカード４を着脱自在であって、装着されたメモリカード４から画像ファイルを読み取るものである。記録メディア装着部１６は、記録メディア５を着脱自在であって、装着された記録メディア５に画像ファイルを書き込むものである。
【００２５】
ファイル名データ管理メモリ１７は、本実施の形態における記憶手段であって、画像ファイルのファイル名を記憶する。ＲＯＭ１８には、後述するフローチャートにより示すＣＰＵ１３の動作プログラムや各部の制御に使用する各種データが記憶されている。ＣＰＵ１３は各部を制御するものであって、前記動作プログラムに従い動作することにより、本実施の形態において、比較手段、判断手段、記録制御手段、記憶制御手段等として機能する。ＲＡＭ１９は、画像ファイル等の各種データを一時保存するバッファであるとともに、ＣＰＵ１３のワーキングメモリとしても使用される。キー操作部２０には、電源キーや後述する第１のモードと第２のモードとを選択的に設定するモードキー等の、この専用レコーダー１において必要な各種キーが設けられている。
【００２６】
前記ファイル名データ管理メモリ１７は、図３に示すように、「１」からの連続的な管理番号１７１と、各管理番号１７１に対応して設けられ画像ファイル名を記憶するための画像ファイル名記憶エリア１７２とで構成されている。
【００２７】
次に、以上の構成に係る本実施の形態の動作を図４に示すフローチャートに従って説明する。電源が投入されると、ＣＰＵ１３は前記プログラムに基づき、図４に示すフローチャートに従って処理を実行する。すなわち、電源が投入された後の待機状態において、ＣＰＵ１３はメモリカード装着部１５にメモリカード４が装着されたか否か（ステップＳ１０１）、及び通信部１４にて画像ファイルを受信したか否か（ステップＳ１０２）を繰り返し判断する。
【００２８】
そして、ユーザが撮影後デジタルカメラ３からメモリカード４を取り外してメモリカード装着部１５に装着すると、メモリカード４に記録されている全画像ファイルを読み出して（ステップＳ１０３）、バッファメモリ（ＲＡＭ１９）に一時記憶させる（ステップＳ１０４）。また、メモリカード４が装着されることなく、ケーブル６又は無線でデジタルカメラ３から画像ファイルが送信され、通信部１４が画像ファイルを受信した場合も、この受信した全てのファイルをバッファメモリ（ＲＡＭ１９）に一時記憶させる（ステップＳ１０４）。さらに、このバッファメモリに一時記憶させた全画像ファイルから全画像ファイル名を抽出する（ステップＳ１０５）。なお、画像ファイル名は例えば日付とシリアルナンバーとの組合せを含んで構成される等、全画像ファイルにおいて重複したファイル名は存在しない。
【００２９】
次に、ＣＰＵ１３は、キー操作部２０からの操作情報に基づき、第１のモードが設定されているか否かを判断する（ステップＳ１０６）。第１のモードが設定されている場合には、前述のステップＳ１０５で抽出した画像ファイル名と、ファイル名データ管理メモリ１７に既に記憶されているファイル名とを比較し（ステップＳ１０７）、一致するファイル名があるか否かを判断する（ステップＳ１０８）。このステップＳ１０８での判断の結果、一致するファイル名がなかった場合は、バッファメモリに一時記憶されている画像ファイルは全て未だ記録メディア５に記録されていない画像ファイルである。よって、この場合には、バッファメモリに一時記憶されている全ての画像ファイルを記録メディア装着部１６に装着されている記録メディア５に記録させる（ステップＳ１０９）。さらに、前述のステップＳ１０５で抽出した全ての画像ファイル名をファイル名データ管理メモリ１７に記憶させる（ステップＳ１１０）。
【００３０】
また、ステップＳ１０８での判断の結果、一致するファイル名があった場合は、バッファメモリに一時記憶されている全ての画像ファイルのうち、一致するファイル名の画像ファイルは、現在又は過去において専用レコーダー１に装着された何れかの記録メディア５に既に記録されている画像ファイルである。よって、この場合には、バッファメモリに一時記憶されている全ての画像ファイルのうち、一致したファイル名の画像ファイルを除く画像ファイルを現在装着されている記録メディア５に記録させる（ステップＳ１１１）。さらに、一致したファイル名を除く画像ファイル名をファイル名データ管理メモリ１７に記憶させる（ステップＳ１１２）。
【００３１】
したがって、第１のモードが設定されている場合においては、ステップＳ１０９及びステップＳ１１１での処理により、未だ何れの記録メディア５にも記録されていない画像ファイルのみが現在装着されている記録メディア５に記録されることとなり、これにより、複数の記録メディア５を通して画像ファイルの重複記録を未然に防止することができる。
【００３２】
一方、ステップＳ１０６での判断の結果、第２のモードが設定されている場合には、記録メディア５に記録されている全画像ファイルからファイル名を読み出す（ステップＳ１１３）。そして、この読み出した画像ファイル名と、ステップＳ１０５で抽出した全画像ファイル名とを比較し（ステップＳ１１４）、一致するファイル名があるか否かを判断する（ステップＳ１１５）。
【００３３】
このステップＳ１１５での判断の結果、一致するファイル名がなかった場合は、バッファメモリに一時記憶されている画像ファイルは全て未だ現在装着されている記録メディア５に記録されていない画像ファイルである。よって、この場合には、バッファメモリに一時記憶されている全ての画像ファイルを記録メディア装着部１６に装着されている記録メディア５に記録させる（ステップＳ１１６）。しかし、ステップＳ１１５での判断の結果、一致するファイル名があった場合は、バッファメモリに一時記憶されている全ての画像ファイルのうち、一致するファイル名の画像ファイルは、既に現在装着されている記録メディア５に記録されている画像ファイルである。よって、この場合には、バッファメモリに一時記憶されている全ての画像ファイルのうち、一致したファイル名の画像ファイルを除く画像ファイルを記録メディア５に記録させる（ステップＳ１１７）。そして、ステップＳ１１６又はステップＳ１１７に続くステップＳ１１８では、前述のステップＳ１０５で抽出したファイル名のうち、ファイル名データ管理メモリ１７に既に記憶されているファイル名と重複しないファイル名のみを（重複記憶禁止）、ファイル名データ管理メモリ１７に記憶する。
【００３４】
すなわち、前述した第１のモードが設定されている場合には、バッファメモリに一時記憶された画像ファイルのファイル名とファイル名データ管理メモリ１７に記憶されているファイル名とが比較されるので、ある画像ファイルを一旦この専用レコーダー１によりある記録メディア５に記録させると、以後、記録メディア５を変えても画像ファイルの重複記録が防止される結果、例え異なる記録メディア５であっても当該専用レコーダー１を用いて当該画像ファイルを記録させることはできない。したがって、複数の記録メディア５を通して画像ファイルの重複記録を防止することができる。その反面、同じ画像ファイルが記録された複数の記録メディア５を作成することが不可能となる。
【００３５】
そこで、このように同じ画像ファイルが記録された記録メディア５を複数作成する場合には、第２のモードを設定する。すると、第２のモードが設定されている場合には、バッファメモリに一時記憶された画像ファイルのファイル名と、記録メディア５に記録されている画像ファイルのファイル名とが比較されて、記録メディア５への画像ファイルの記録がなされる。したがって、異なる記録メディア５を専用レコーダー１の装着手段に装着すれば、同一の専用レコーダー１を用いて同一の画像ファイルを異なる記録メディア５の各々に記録させることができる。これにより、同じ画像ファイルが記録された複数の記録メディア５を作成することが可能となる。しかも、ステップＳ１１６及びＳ１１７での処理により、同一記録メディア５への画像ファイルの重複記録は未然に防止される。よって、第２のモードを設定することにより、個々の記録メディア５への画像ファイルの重複記録も未然に防止しつつ、個々に同一の画像ファイルが記録された複数枚の記録メディア５を作成することが可能となる。
【００３６】
なお、画像ファイル名は全画像ファイルにおいて重複したファイル名が存在しないという条件を満たせば、日付とシリアルナンバーとの組合せに限らず、どのようなファイル名であってもよい。
【００３７】
（第２の実施の形態）
本発明の第２の実施の形態におけるシステム構成及び専用レコーダー１の回路構成は、図１及び図２に示した第１の実施の形態と同様である。しかし、前記ファイル名データ管理メモリ１７は、第１の実施の形態と異なり、図５に示すように、最後の画像ファイル名を記憶するための、最後の画像ファイル名記憶エリア１７３のみが設けられている。
【００３８】
つまり、本実施の形態においては、画像ファイル名は日付（時分を含んでもよい）とシリアルナンバーとの組合せを含んで構成されている。したがって、記録メディア５に記録させた画像ファイルのファイル名のうち、最後の画像ファイル（時間的には最新に撮像記録された画像ファイル）のファイル名のみをファイル名データ管理メモリ１７に記憶させておくことにより、重複記録を防止するようにしたものである。
【００３９】
電源が投入されると、ＣＰＵ１３は前記プログラムに基づき、図６に示すフローチャートに従って処理を実行し、ステップＳ２０１〜Ｓ２０５において、前述したステップＳ１０１〜Ｓ１０５と同様の処理を実行する。次に、ＣＰＵ１３は、キー操作部２０からの操作情報に基づき、第１のモードが設定されているか否かを判断する（ステップＳ２０６）。第１のモードが設定されている場合には、前述のステップＳ２０５で抽出した画像ファイル名と、ファイル名データ管理メモリ１７に既に記憶されている最後のファイル名とを比較し（ステップＳ２０７）、最後のファイル名の日付よりも前の日付を含む画像ファイル名があるか否か、あるいは日付が同じで最後のファイル名のシリアルナンバー以下のシリアルナンバーを含む画像ファイル名があるか否かを判断する（ステップＳ２０８）。
【００４０】
このステップＳ２０８での判断の結果、該当するファイル名がなかった場合は、バッファメモリに一時記憶されている画像ファイルは全て未だ記録メディア５に記録されていない画像ファイルである。よって、この場合には、バッファメモリに一時記憶されている全ての画像ファイルを記録メディア装着部１６に装着されている記録メディア５に記録させる（ステップＳ２０９）。さらに、前述のステップＳ２０５で抽出した全ての画像ファイル名のうち、最後のファイル名をファイル名データ管理メモリ１７に更新記憶させる（ステップＳ２１０）。
【００４１】
また、ステップＳ２０８での判断の結果、該当するファイル名があった場合は、バッファメモリに一時記憶されている全ての画像ファイルのうち、該当するファイル名の画像ファイルは、既に記録メディア５に記録されている画像ファイルである。よって、この場合には、バッファメモリに一時記憶されている全ての画像ファイルのうち、該当したファイル名の画像ファイルを除く画像ファイルを記録メディア５に記録させる（ステップＳ２１１）。さらに、前述のステップＳ２０５で抽出した全ての画像ファイル名のうち、最後のファイル名をファイル名データ管理メモリ１７に更新記憶させる（ステップＳ２１２）。
【００４２】
したがって、第１のモードが設定されている場合においては、前述の第１の実施の形態と同様に、ステップＳ２０９及びステップＳ２１１での処理により、未だ記録メディア５に記録されていなかった画像ファイルのみが記録メディア５に記録されることとなり、これにより、複数の記録メディア５を通して画像ファイルの重複記録を未然に防止することができる。
【００４３】
一方、ステップＳ２０６での判断の結果、第２のモードが設定されている場合には、記録メディア５に記録されている全画像ファイルからファイル名を読み出す（ステップＳ２１３）。そして、この読み出した画像ファイル名と、ステップＳ２０５で抽出した全画像ファイル名とを比較し（ステップＳ２１４）、一致するファイル名があるか否かを判断する（ステップＳ２１５）。
【００４４】
このステップＳ２１５での判断の結果、一致するファイル名がなかった場合には、バッファメモリに一時記憶されている画像ファイルは全て未だ記録メディア５に記録されていない画像ファイルである。よって、この場合には、バッファメモリに一時記憶されている全ての画像ファイルを記録メディア装着部１６に装着されている記録メディア５に記録させる（ステップＳ２１６）。
【００４５】
しかし、ステップＳ２１５での判断の結果、一致するファイル名があった場合は、バッファメモリに一時記憶されている全ての画像ファイルのうち、一致するファイル名の画像ファイルは、既に記録メディア５に記録されている画像ファイルである。よって、この場合には、バッファメモリに一時記憶されている全ての画像ファイルのうち、一致したファイル名の画像ファイルを除く画像ファイルを記録メディア５に記録させる（ステップＳ２１７）。さらに、前述のステップＳ２０５で抽出した全ての画像ファイル名のうち、最後のファイル名をファイル名データ管理メモリ１７に更新記憶させる（ステップＳ２１８）。
【００４６】
よって、この第２の実施の形態においても、第１の実施の形態と同様に、第１のモードが設定されている場合においては、未だ記録メディア５に記録されていなかった画像ファイルのみが記録メディア５に記録されることとなり、これにより、記録メディア５への画像ファイルの重複記録を未然に防止することができる。また、第２のモードを設定することにより、記録メディア５への画像ファイルの重複記録も未然に防止しつつ、同一の画像ファイルが記録された複数の記録メディア５を作成することが可能となる。
【００４７】
しかも、この第２の実施の形態においては第１の実施の形態とは異なり、ファイル名データ管理メモリ１７には最後のファイル名を記憶するのみであることから、ファイル名データ管理メモリ１７の記憶容量は極めて少なくて済む利点がある。
なお、画像ファイル名は、時系列のみあるいは連続番号のみ、これらの組合せ等に限らず、一定の連続性をもって付されるものであれば、どのようなファイル名であってもよい。
【００４８】
【発明の効果】
【００４９】
以上説明したように本発明によれば、装置本体に着脱可能な画像記録媒体に記録された画像データの画像識別情報を画像記録媒体とは異なる記憶手段に順次記憶するとともに、この記憶した識別情報と、画像記録媒体に記録すべき画像データの画像識別情報とを比較し、この比較結果に応じて画像データを画像記録媒体に記録するか否かを判断するようにしたことから、画像データが既に現在又は過去において装置本体に装着された画像記録媒体に記録されているものである場合には、その画像データの画像記録媒体への記録を回避することができ、これにより複数の画像記録媒体を通して画像データの重複記録を未然に防止することができる。
【００５０】
また、第１のモードと第２のモードとを選択的に設定可能とし、第２のモードが設定されている場合には、記録すべき画像データの画像識別情報と、現時点において装置本体に装着されている画像記録媒体に記録されている画像データの画像識別情報とを比較し、この比較結果に応じて画像データを画像記録媒体に記録するか否かを判断するようにしたことから、異なる画像記録媒体を画像記録装置に装着すれば、同一の画像記録装置を用いて同一の画像データを異なる画像記録媒体の各々に記録させることができる。しかも、画像記録媒体に記録させようとする画像データの画像識別情報と、現時点において装置本体に装着されている画像記録媒体に記録されている画像データの画像識別情報とを比較することから、同一の画像記録媒体への画像データの重複記録を未然に防止しつつ、個々に同じ画像データが記録された複数の画像記録媒体を作成することできる。
【図面の簡単な説明】
【図１】本実施の形態に係る専用レコーダーを含むシステム全体の一例を示すシステム構成図である。
【図２】専用レコーダーの回路構成を示すブロック図である。
【図３】ファイル名管理メモリのメモリ構成図である。
【図４】第１の実施の形態における処理手順を示すフローチャートである。
【図５】第２の実施の形態におけるファイル名管理メモリのメモリ構成図である。
【図６】第２の実施の形態における処理手順を示すフローチャートである。
【符号の説明】
１　　専用レコーダー
２　　パソコン
３　　デジタルカメラ
４　　メモリカード
５　　記録メディア
６　　ケーブル
１１　　装置本体
１２　　挿入口
１３　　ＣＰＵ
１４　　通信部
１５　　メモリカード装着部
１６　　記録メディア装着部
１７　　ファイル名データ管理メモリ
１８　　ＲＯＭ
１９　　ＲＡＭ
２０　　キー操作部
【図１】
2004088555.tif 000003
【図２】
2004088555.tif 000004
【図３】
2004088555.tif 000005
【図４】
2004088555.tif 000006
【図５】
2004088555.tif 000007
【図６】
2004088555.tif 000008